(57)【特許請求の範囲】
【請求項１】
周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定装置であって、
前記Ｉ信号の振幅を前記キャリア信号ごとに導出するＩ信号振幅導出部と、
前記Ｑ信号の振幅を前記キャリア信号ごとに導出するＱ信号振幅導出部と、
前記Ｉ信号振幅導出部および前記Ｑ信号振幅導出部の導出結果に基づき、前記キャリア信号ごとの前記Ｉ信号の振幅と前記Ｑ信号の振幅との比を導出するキャリア振幅比導出部と、
前記キャリア振幅比導出部の導出結果に基づき、前記ゲインインバランスを導出するゲインインバランス導出部と、
を備えたゲインインバランス測定装置。
【請求項２】
請求項１に記載のゲインインバランス測定装置であって、
前記ゲインインバランス導出部は、前記キャリア振幅比導出部の導出結果の平均を、前記ゲインインバランスとする、
ゲインインバランス測定装置。
【請求項３】
請求項１に記載のゲインインバランス測定装置であって、
前記Ｉ信号をＦＦＴして、前記Ｉ信号の前記キャリア信号ごとの成分を求めて、前記Ｉ信号振幅導出部に与えるＩ信号ＦＦＴ部と、
前記Ｑ信号をＦＦＴして、前記Ｑ信号の前記キャリア信号ごとの成分を求めて、前記Ｑ信号振幅導出部に与えるＱ信号ＦＦＴ部と、
を備えたゲインインバランス測定装置。
【請求項４】
請求項３に記載のゲインインバランス測定装置であって、
前記直交復調器が、
ローカル信号を出力するローカル信号源と、
前記ローカル信号または前記ローカル信号と位相が直交する直交ローカル信号と、前記被復調信号とを乗算する乗算器と、
を有し、
全ての前記キャリア信号の周波数が、前記ローカル信号の周波数よりも大きい、または、前記ローカル信号の周波数よりも小さい、
ゲインインバランス測定装置。
【請求項５】
請求項１に記載のゲインインバランス測定装置であって、
任意の一つの前記キャリア信号である任意キャリア信号に対応する、前記I信号および前記Ｑ信号の成分である任意成分の周波数の近傍の周波数で発生する第一位相雑音が、
前記任意キャリア信号に隣接する前記キャリア信号である隣接キャリア信号に対応する、前記I信号および前記Ｑ信号の成分である隣接成分の周波数の近傍の周波数で発生する第二位相雑音よりも、
前記隣接成分の周波数の近傍の周波数において、小さくなるように、
前記任意キャリア信号および前記隣接キャリア信号の間隔が決められている、
ゲインインバランス測定装置。
【請求項６】
周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定装置であって、
前記Ｉ信号の位相を前記キャリア信号ごとに導出するＩ信号位相導出部と、
前記Ｑ信号の位相を前記キャリア信号ごとに導出するＱ信号位相導出部と、
前記Ｉ信号位相導出部および前記Ｑ信号位相導出部の導出結果に基づき、前記キャリア信号ごとの前記Ｉ信号の位相と前記Ｑ信号の位相との差に対応するキャリア位相差対応値を導出するキャリア位相差対応値導出部と、
前記キャリア位相差対応値導出部の導出結果に基づき、前記位相差対応値を導出する位相差対応値導出部と、
を備えた位相差対応値測定装置。
【請求項７】
請求項６に記載の位相差対応値測定装置であって、
前記位相差対応値導出部は、前記キャリア位相差対応値導出部の導出結果の平均を、前記位相差対応値とする、
位相差対応値測定装置。
【請求項８】
請求項６に記載の位相差対応値測定装置であって、
前記Ｉ信号をＦＦＴして、前記Ｉ信号の前記キャリア信号ごとの成分を求めて、前記Ｉ信号位相導出部に与えるＩ信号ＦＦＴ部と、
前記Ｑ信号をＦＦＴして、前記Ｑ信号の前記キャリア信号ごとの成分を求めて、前記Ｑ信号位相導出部に与えるＱ信号ＦＦＴ部と、
を備えた位相差対応値測定装置。
【請求項９】
請求項８に記載の位相差対応値測定装置であって、
前記直交復調器が、
ローカル信号を出力するローカル信号源と、
前記ローカル信号または前記ローカル信号と位相が直交する直交ローカル信号と、前記被復調信号とを乗算する乗算器と、
を有し、
全ての前記キャリア信号の周波数が、前記ローカル信号の周波数よりも大きい、または、前記ローカル信号の周波数よりも小さい、
位相差対応値測定装置。
【請求項１０】
請求項６に記載の位相差対応値測定装置であって、
任意の一つの前記キャリア信号である任意キャリア信号に対応する、前記I信号および前記Ｑ信号の成分である任意成分の周波数の近傍の周波数で発生する第一位相雑音が、
前記任意キャリア信号に隣接する前記キャリア信号である隣接キャリア信号に対応する、前記I信号および前記Ｑ信号の成分である隣接成分の周波数の近傍の周波数で発生する第二位相雑音よりも、
前記隣接成分の周波数の近傍の周波数において、小さくなるように、
前記任意キャリア信号および前記隣接キャリア信号の間隔が決められている、
位相差対応値測定装置。
【請求項１１】
請求項６に記載の位相差対応値測定装置であって、
前記位相差対応値は、前記Ｉ信号の位相および前記Ｑ信号の位相の差と、９０度との差である、
前記キャリア位相差対応値は、前記キャリア信号ごとの前記Ｉ信号の位相および前記Ｑ信号の位相の差と、９０度との差である、
位相差対応値測定装置。
【請求項１２】
周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定方法であって、
前記Ｉ信号の振幅を前記キャリア信号ごとに導出するＩ信号振幅導出工程と、
前記Ｑ信号の振幅を前記キャリア信号ごとに導出するＱ信号振幅導出工程と、
前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、
前記キャリア振幅比導出工程の導出結果に基づき、前記ゲインインバランスを導出するゲインインバランス導出工程と、
を備えたゲインインバランス測定方法。
【請求項１３】
周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定方法であって、
前記Ｉ信号の位相を前記キャリア信号ごとに導出するＩ信号位相導出工程と、
前記Ｑ信号の位相を前記キャリア信号ごとに導出するＱ信号位相導出工程と、
前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、
前記キャリア位相差対応値導出工程の導出結果に基づき、前記位相差対応値を導出する位相差対応値導出工程と、
を備えた位相差対応値測定方法。
【請求項１４】
周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定処理をコンピュータに実行させるためのプログラムであって、
前記ゲインインバランス測定処理は、
前記Ｉ信号の振幅を前記キャリア信号ごとに導出するＩ信号振幅導出工程と、
前記Ｑ信号の振幅を前記キャリア信号ごとに導出するＱ信号振幅導出工程と、
前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、
前記キャリア振幅比導出工程の導出結果に基づき、前記ゲインインバランスを導出するゲインインバランス導出工程と、
を備えたプログラム。
【請求項１５】
周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定処理をコンピュータに実行させるためのプログラムであって、
前記位相差対応値測定処理は、
前記Ｉ信号の位相を前記キャリア信号ごとに導出するＩ信号位相導出工程と、
前記Ｑ信号の位相を前記キャリア信号ごとに導出するＱ信号位相導出工程と、
前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、
前記キャリア位相差対応値導出工程の導出結果に基づき、前記位相差対応値を導出する位相差対応値導出工程と、
を備えたプログラム。
【請求項１６】
周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定処理をコンピュータに実行させるためのプログラムを記録したコンピュータによって読み取り可能な記録媒体であって、
前記ゲインインバランス測定処理は、
前記Ｉ信号の振幅を前記キャリア信号ごとに導出するＩ信号振幅導出工程と、
前記Ｑ信号の振幅を前記キャリア信号ごとに導出するＱ信号振幅導出工程と、
前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、
前記キャリア振幅比導出工程の導出結果に基づき、前記ゲインインバランスを導出するゲインインバランス導出工程と、
を備えた記録媒体。
【請求項１７】
周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定処理をコンピュータに実行させるためのプログラムを記録したコンピュータによって読み取り可能な記録媒体であって、
前記位相差対応値測定処理は、
前記Ｉ信号の位相を前記キャリア信号ごとに導出するＩ信号位相導出工程と、
前記Ｑ信号の位相を前記キャリア信号ごとに導出するＱ信号位相導出工程と、
前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、
前記キャリア位相差対応値導出工程の導出結果に基づき、前記位相差対応値を導出する位相差対応値導出工程と、
を備えた記録媒体。
【発明の詳細な説明】
【技術分野】
【０００１】
本発明は、直交復調器の誤差の測定に関する。
【背景技術】
【０００２】
従来より、直交復調器の誤差には、ゲインインバランスおよび直交誤差があることが知られている。直交誤差の測定法は、例えば、特許文献１および非特許文献１に記載がある。
【０００３】
【特許文献１】特開２００６−８１０４５号公報
【非特許文献１】Behzad Razavi、“Design Considerations for Direct-ConversionReceivers”、IEEE Transaction onCircuits and Systems II、vol.44、no.6、pp.428-435、1997年
【発明の開示】
【発明が解決しようとする課題】
【０００４】
そこで、本発明は、直交復調器の誤差を測定する際の、測定精度の向上を課題とする。
【課題を解決するための手段】
【０００５】
本発明にかかるゲインインバランス測定装置は、周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定装置であって、前記Ｉ信号の振幅を前記キャリア信号ごとに導出するＩ信号振幅導出部と、前記Ｑ信号の振幅を前記キャリア信号ごとに導出するＱ信号振幅導出部と、前記Ｉ信号振幅導出部および前記Ｑ信号振幅導出部の導出結果に基づき、前記キャリア信号ごとの前記Ｉ信号の振幅と前記Ｑ信号の振幅との比を導出するキャリア振幅比導出部と、前記キャリア振幅比導出部の導出結果に基づき、前記ゲインインバランスを導出するゲインインバランス導出部とを備えるように構成される。
【０００６】
上記の発明によれば、周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定装置が提供される。
【０００７】
Ｉ信号振幅導出部が、前記Ｉ信号の振幅を前記キャリア信号ごとに導出する。Ｑ信号振幅導出部が、前記Ｑ信号の振幅を前記キャリア信号ごとに導出する。キャリア振幅比導出部が、前記Ｉ信号振幅導出部および前記Ｑ信号振幅導出部の導出結果に基づき、前記キャリア信号ごとの前記Ｉ信号の振幅と前記Ｑ信号の振幅との比を導出する。ゲインインバランス導出部は、前記キャリア振幅比導出部の導出結果に基づき、前記ゲインインバランスを導出する。
【０００８】
なお、本発明にかかるゲインインバランス測定装置は、前記ゲインインバランス導出部が、前記キャリア振幅比導出部の導出結果の平均を、前記ゲインインバランスとするようにしてもよい。
【０００９】
なお、本発明にかかるゲインインバランス測定装置は、前記Ｉ信号をＦＦＴして、前記Ｉ信号の前記キャリア信号ごとの成分を求めて、前記Ｉ信号振幅導出部に与えるＩ信号ＦＦＴ部と、前記Ｑ信号をＦＦＴして、前記Ｑ信号の前記キャリア信号ごとの成分を求めて、前記Ｑ信号振幅導出部に与えるＱ信号ＦＦＴ部と、を備えるようにしてもよい。
【００１０】
なお、本発明にかかるゲインインバランス測定装置は、前記直交復調器が、ローカル信号を出力するローカル信号源と、前記ローカル信号または前記ローカル信号と位相が直交する直交ローカル信号と、前記被復調信号とを乗算する乗算器と、を有し、全ての前記キャリア信号の周波数が、前記ローカル信号の周波数よりも大きい、または、前記ローカル信号の周波数よりも小さいようにしてもよい。
【００１１】
なお、本発明にかかるゲインインバランス測定装置は、任意の一つの前記キャリア信号である任意キャリア信号に対応する、前記I信号および前記Ｑ信号の成分である任意成分の周波数の近傍の周波数で発生する第一位相雑音が、前記任意キャリア信号に隣接する前記キャリア信号である隣接キャリア信号に対応する、前記I信号および前記Ｑ信号の成分である隣接成分の周波数の近傍の周波数で発生する第二位相雑音よりも、前記隣接成分の周波数の近傍の周波数において、小さくなるように、前記任意キャリア信号および前記隣接キャリア信号の間隔が決められているようにしてもよい。
【００１２】
本発明にかかる位相差対応値測定装置は、周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定装置であって、前記Ｉ信号の位相を前記キャリア信号ごとに導出するＩ信号位相導出部と、前記Ｑ信号の位相を前記キャリア信号ごとに導出するＱ信号位相導出部と、前記Ｉ信号位相導出部および前記Ｑ信号位相導出部の導出結果に基づき、前記キャリア信号ごとの前記Ｉ信号の位相と前記Ｑ信号の位相との差に対応するキャリア位相差対応値を導出するキャリア位相差対応値導出部と、前記キャリア位相差対応値導出部の導出結果に基づき、前記位相差対応値を導出する位相差対応値導出部と、を備えるように構成される。
【００１３】
上記の発明によれば、周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定装置が提供される。
【００１４】
Ｉ信号位相導出部が、前記Ｉ信号の位相を前記キャリア信号ごとに導出する。Ｑ信号位相導出部が、前記Ｑ信号の位相を前記キャリア信号ごとに導出する。キャリア位相差対応値導出部が、前記Ｉ信号位相導出部および前記Ｑ信号位相導出部の導出結果に基づき、前記キャリア信号ごとの前記Ｉ信号の位相と前記Ｑ信号の位相との差に対応するキャリア位相差対応値を導出する。位相差対応値導出部が、前記キャリア位相差対応値導出部の導出結果に基づき、前記位相差対応値を導出する。
【００１５】
なお、本発明にかかる位相差対応値測定装置は、前記位相差対応値導出部が、前記キャリア位相差対応値導出部の導出結果の平均を、前記位相差対応値とするようにしてもよい。
【００１６】
なお、本発明にかかる位相差対応値測定装置は、前記Ｉ信号をＦＦＴして、前記Ｉ信号の前記キャリア信号ごとの成分を求めて、前記Ｉ信号位相導出部に与えるＩ信号ＦＦＴ部と、前記Ｑ信号をＦＦＴして、前記Ｑ信号の前記キャリア信号ごとの成分を求めて、前記Ｑ信号位相導出部に与えるＱ信号ＦＦＴ部とを備えるようにしてもよい。
【００１７】
なお、本発明にかかる位相差対応値測定装置は、前記直交復調器が、ローカル信号を出力するローカル信号源と、前記ローカル信号または前記ローカル信号と位相が直交する直交ローカル信号と、前記被復調信号とを乗算する乗算器と、を有し、全ての前記キャリア信号の周波数が、前記ローカル信号の周波数よりも大きい、または、前記ローカル信号の周波数よりも小さいようにしてもよい。
【００１８】
なお、本発明にかかる位相差対応値測定装置は、任意の一つの前記キャリア信号である任意キャリア信号に対応する、前記I信号および前記Ｑ信号の成分である任意成分の周波数の近傍の周波数で発生する第一位相雑音が、前記任意キャリア信号に隣接する前記キャリア信号である隣接キャリア信号に対応する、前記I信号および前記Ｑ信号の成分である隣接成分の周波数の近傍の周波数で発生する第二位相雑音よりも、前記隣接成分の周波数の近傍の周波数において、小さくなるように前記任意キャリア信号および前記隣接キャリア信号の間隔が決められているようにしてもよい。
【００１９】
なお、本発明にかかる位相差対応値測定装置は、前記位相差対応値は、前記Ｉ信号の位相および前記Ｑ信号の位相の差と、９０度との差である、前記キャリア位相差対応値は、前記キャリア信号ごとの前記Ｉ信号の位相および前記Ｑ信号の位相の差と、９０度との差であるようにしてもよい。
【００２０】
本発明は、周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定方法であって、前記Ｉ信号の振幅を前記キャリア信号ごとに導出するＩ信号振幅導出工程と、前記Ｑ信号の振幅を前記キャリア信号ごとに導出するＱ信号振幅導出工程と、前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、前記キャリア振幅比導出工程の導出結果に基づき、前記ゲインインバランスを導出するゲインインバランス導出工程と、を備えたゲインインバランス測定方法である。
【００２１】
本発明は、周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定方法であって、前記Ｉ信号の位相を前記キャリア信号ごとに導出するＩ信号位相導出工程と、前記Ｑ信号の位相を前記キャリア信号ごとに導出するＱ信号位相導出工程と、前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、前記キャリア位相差対応値導出工程の導出結果に基づき、前記位相差対応値を導出する位相差対応値導出工程と、を備えた位相差対応値測定方法である。
【００２２】
本発明は、周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定処理をコンピュータに実行させるためのプログラムであって、前記ゲインインバランス測定処理は、前記Ｉ信号の振幅を前記キャリア信号ごとに導出するＩ信号振幅導出工程と、前記Ｑ信号の振幅を前記キャリア信号ごとに導出するＱ信号振幅導出工程と、前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、前記キャリア振幅比導出工程の導出結果に基づき、前記ゲインインバランスを導出するゲインインバランス導出工程と、を備えたプログラムである。
【００２３】
本発明は、周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定処理をコンピュータに実行させるためのプログラムであって、前記位相差対応値測定処理は、前記Ｉ信号の位相を前記キャリア信号ごとに導出するＩ信号位相導出工程と、前記Ｑ信号の位相を前記キャリア信号ごとに導出するＱ信号位相導出工程と、前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、前記キャリア位相差対応値導出工程の導出結果に基づき、前記位相差対応値を導出する位相差対応値導出工程と、を備えたプログラムである。
【００２４】
本発明は、周波数がそれぞれ異なる複数のキャリア信号を有する被復調信号を復調する直交復調器からＩ信号およびＱ信号を受けて、前記Ｉ信号の振幅と前記Ｑ信号の振幅との比であるゲインインバランスを測定するゲインインバランス測定処理をコンピュータに実行させるためのプログラムを記録したコンピュータによって読み取り可能な記録媒体であって、前記ゲインインバランス測定処理は、前記Ｉ信号の振幅を前記キャリア信号ごとに導出するＩ信号振幅導出工程と、前記Ｑ信号の振幅を前記キャリア信号ごとに導出するＱ信号振幅導出工程と、前記Ｉ信号振幅導出工程および前記Ｑ信号振幅導出工程の導出結果に基づき、前記キャリア信号ごとの前記Ｉ信号の振幅と前記Ｑ信号の振幅との比を導出するキャリア振幅比導出工程と、前記キャリア振幅比導出工程の導出結果に基づき、前記ゲインインバランスを導出するゲインインバランス導出工程と、を備えた記録媒体である。
【００２５】
本発明は、周波数がそれぞれ異なる複数のキャリア信号を有する被復調信号を復調する直交復調器からＩ信号およびＱ信号を受けて、前記Ｉ信号の位相と前記Ｑ信号の位相との差に対応する位相差対応値を測定する位相差対応値測定処理をコンピュータに実行させるためのプログラムを記録したコンピュータによって読み取り可能な記録媒体であって、前記位相差対応値測定処理は、前記Ｉ信号の位相を前記キャリア信号ごとに導出するＩ信号位相導出工程と、前記Ｑ信号の位相を前記キャリア信号ごとに導出するＱ信号位相導出工程と、前記Ｉ信号位相導出工程および前記Ｑ信号位相導出工程の導出結果に基づき、前記キャリア信号ごとの前記Ｉ信号の位相と前記Ｑ信号の位相との差に対応するキャリア位相差対応値を導出するキャリア位相差対応値導出工程と、前記キャリア位相差対応値導出工程の導出結果に基づき、前記位相差対応値を導出する位相差対応値導出工程と、を備えた記録媒体である。
【発明を実施するための最良の形態】
【００２６】
以下、本発明の実施形態を図面を参照しながら説明する。
【００２７】
図１は、本発明の実施形態にかかる誤差測定システム１の構成を示す機能ブロック図である。誤差測定システム１は、信号発生器２、直交復調器４、誤差測定装置１０を備える。
【００２８】
信号発生器２は、RF(Radio Frequency)信号を発生する。RF信号（被復調信号）は、複数のキャリア信号を有する。各々のキャリア信号の周波数は、それぞれ異なる。なお、RF信号は、直交復調器４により復調される信号である。
【００２９】
図２は、RF信号が有する各々のキャリア信号の周波数スペクトルを示す図である。ただし、fcは、直交復調器４のローカル信号源４２の出力するローカル信号の周波数である。また、図２の横軸は周波数を示し、図２の縦軸は電力[dBm]を示す。
【００３０】
各々のキャリア信号の周波数は、図２（ａ）および図２（ｂ）に示すように二種類の態様がある。
【００３１】
まず、図２（ａ）に示すように、全てのキャリア信号C1, C2,…,CN（ただし、Nは２以上の整数）の周波数f1,
f2,…,fNが、ローカル信号の周波数fcよりも大きい場合がある。
【００３２】
または、図２（ｂ）に示すように、全てのキャリア信号の周波数f1, f2,…,fNが、ローカル信号の周波数fcよりも小さい場合がある。
【００３３】
このように、全てのキャリア信号の周波数がfcよりも大きい、または小さい場合に限定したのは、誤差測定装置１０のＩ信号ＦＦＴ部１２ＩおよびＱ信号ＦＦＴ部１２ＱによりＦＦＴが行われるからである。
【００３４】
ある二つのキャリア信号の周波数fa、fbが、fa< fc <fbであり、(fa+fb)/2 = fcであると仮定する。この場合、直交復調器４の出力するＩ信号およびＱ信号をＦＦＴした場合、ＦＦＴの結果のfa成分とfb成分とが重なってしまい、両者の区別がつかなくなる。
【００３５】
ここで、全てのキャリア信号の周波数がfcよりも大きく、または小さくすれば、(fa+fb)/2
= fcとはならないので、ＦＦＴの結果のfa成分とfb成分とが重なることを防止できる。
【００３６】
なお、本発明の実施形態は、全てのキャリア信号の周波数がfcよりも大きくなるようにしてある（図２（ａ）参照）。
【００３７】
図３は、直交復調器４の構成を示す機能ブロック図である。直交復調器４は、乗算器４１Ｉ、４１Ｑ、ローカル信号源４２、移相器４４、ローパスフィルタ４６Ｉ、４６Ｑ、アンプ４８Ｉ、４８Ｑを備える。直交復調器４は、RF信号（被復調信号）を復調する。
【００３８】
ローカル信号源４２は、ローカル信号（周波数fc）を出力する。
【００３９】
乗算器４１Ｉは、ローカル信号とRF信号とを乗算する。
【００４０】
移相器４４は、ローカル信号源４２からローカル信号を受け、ローカル信号の位相を９０度遅らせて、出力する。ローカル信号と位相が直交する信号を直交ローカル信号という。移相器４４は直交ローカル信号を出力する。
【００４１】
乗算器４１Ｑは、移相器４４の出力する直交ローカル信号と、RF信号とを乗算する。
【００４２】
ローパスフィルタ４６Ｉは、乗算器４１Ｉの出力のうち低周波成分を透過させ、乗算器４１Ｉの出力からベースバンドの成分をとりだす。
【００４３】
ローパスフィルタ４６Ｑは、乗算器４１Ｑの出力のうち低周波成分を透過させ、乗算器４１Ｑの出力からベースバンドの成分をとりだす。
【００４４】
アンプ４８Ｉは、ローパスフィルタ４６Ｉの出力を増幅する。アンプ４８Ｉの出力がＩ信号である。
【００４５】
アンプ４８Ｑは、ローパスフィルタ４６Ｑの出力を増幅する。アンプ４８Ｑの出力がＱ信号である。
【００４６】
Ｉ信号の振幅と、Ｑ信号の振幅とは等しいことが理想である。しかし、実際には、乗算器４１Ｉ、ローパスフィルタ４６Ｉおよびアンプ４８Ｉ（「Ｉ経路」という）のゲインと、乗算器４１Ｑ、ローパスフィルタ４６Ｑおよびアンプ４８Ｑ（「Ｑ経路」という）のゲインとが異なる。これは、Ｉ経路およびＱ経路の特性のばらつきなどによるものである。よって、Ｉ信号の振幅と、Ｑ信号の振幅とが等しくならないことが、実際には生じる。
【００４７】
ここで、Ｉ信号の振幅とＱ信号の振幅との比をゲインインバランスという。
【００４８】
また、Ｉ信号の位相とＱ信号の位相との差は９０度が理想である。しかし、移相器４４の特性のばらつきなどにより、Ｉ信号の位相とＱ信号の位相との差が９０度とは異なる値をとる。
【００４９】
ここで、Ｉ信号の位相とＱ信号の位相との差と、９０度との差を直交誤差という。
【００５０】
なお、ローカル信号は雑音を有している。ここで、ローカル信号（直交ローカル信号）が、RF信号と乗算されると、乗算結果に雑音が含まれることになる。乗算結果は、ローパスフィルタ４６Ｉ（４６Ｑ）、アンプ４８Ｉ（４８Ｑ）を通って、Ｉ信号（Ｑ信号）となる。よって、Ｉ信号およびＱ信号に、ローカル信号が有する雑音に起因する雑音が含まれる。Ｉ信号およびＱ信号に含まれる、この雑音（ローカル信号が有する雑音に起因）を位相雑音という。位相雑音は、誤差測定装置１０によるゲインインバランスおよび直交誤差の測定の精度を低下させる要因となる。
【００５１】
図４は、任意の一つのキャリア信号（任意キャリア信号）Cm-1と、任意キャリア信号Cm-1に隣接する隣接キャリア信号Cmとの周波数スペクトル（図４（ａ））、任意キャリア信号Cm-1に対応する（Ｉ信号およびＱ信号の）任意成分C’m-1と、その近傍に発生する第一位相雑音PNm-1と、隣接キャリア信号Cmに対応する（Ｉ信号およびＱ信号の）隣接成分C’mと、その近傍に発生する第二位相雑音PNmとの周波数スペクトル（図４（ｂ））を示す図である。ただし、mは、２からNまでの整数である。さらに、図４の横軸は周波数を示し、図４の縦軸は電力[dBm]を示す。
【００５２】
なお、図４（ａ）は、図２（ａ）の部分拡大図に相当する。任意キャリア信号Cm-1の周波数はfm-1であり、隣接キャリア信号Cmの周波数はfmである。RF信号を直交復調器４により復調すると、任意キャリア信号Cm-1および隣接キャリア信号Cmもまた直交復調器４により復調される。
【００５３】
図４（ｂ）を参照して、任意キャリア信号Cm-1を復調して得た信号は、Ｉ信号およびＱ信号の成分であり、任意成分C’m-1という。隣接キャリア信号Cmを復調して得た信号は、Ｉ信号およびＱ信号の成分であり、隣接成分C’mという。任意成分C’m-1の周波数はfm-1−fcであり、隣接成分C’mの周波数はfm−fcである。よって、任意キャリア信号Cm-1および隣接キャリア信号Cmの間隔は、任意成分C’m-1および隣接成分C’mの間隔と等しい（fm−fm-1）。
【００５４】
任意成分C’m-1の近傍、すなわち、任意成分C’m-1の周波数fm-1−fcの近傍fm-1”からfm-1’まで（fm-1”<fm-1−fc<fm-1’）の範囲で、第一位相雑音PNm-1の電力がほぼ一定である。任意成分C’m-1の近傍の範囲を超えると、第一位相雑音PNm-1は減衰する。
【００５５】
隣接成分C’mの近傍、すなわち、隣接成分C’mの周波数fm−fcの近傍fm”からfm’まで（fm”< fm−fc <fm’）の範囲で、第二位相雑音PNmの電力がほぼ一定である。隣接成分C’mの近傍の範囲を超えると、第二位相雑音PNmは減衰する。
【００５６】
任意キャリア信号Cm-1および隣接キャリア信号Cmの間隔fm−fm-1は、充分大きく設定されている。すなわち、第一位相雑音PNm-1が、第二位相雑音PNmよりも、隣接成分C’mの近傍fm”からfm’までにおいて小さくなるように、間隔fm−fm-1は設定されている。
【００５７】
例えば、図４（ｂ）に示すように、任意成分C’m-1の近傍と、隣接成分C’mの近傍とが重ならないように（fm-1’ < fm”）、間隔fm−fm-1は設定されていれば、第一位相雑音PNm-1が、第二位相雑音PNmよりも、隣接成分C’mの近傍fm”からfm’までにおいて小さくなる。
【００５８】
これにより、第一位相雑音PNm-1が、隣接成分C’mに重畳する程度を著しく抑制することができる。
【００５９】
なお、間隔fm−fm-1は、いずれのmにおいても、等しいものであってもよい。
【００６０】
誤差測定装置（ゲインインバランス測定装置および位相差対応値測定装置）１０は、Ｉ信号およびＱ信号を受けて、ゲインインバランスを測定する。さらに、Ｉ信号の位相とＱ信号の位相との差に対応する位相差対応値（具体的には、直交誤差）を測定する。
【００６１】
図５は、誤差測定装置１０の構成を示す機能ブロック図である。誤差測定装置１０は、A/D変換器１１Ｉ、１１Ｑ、Ｉ信号ＦＦＴ部１２Ｉ、Ｑ信号ＦＦＴ部１２Ｑ、Ｉ信号振幅・位相導出部１４Ｉ、Ｑ信号振幅・位相導出部１４Ｑ、キャリア振幅比導出部１６ａ、キャリア直交誤差導出部１６ｂ、平均部（ゲインインバランス導出部）１８ａ、平均部（位相差対応値導出部）１８ｂを備える。
【００６２】
A/D変換器１１Ｉは、直交復調器４からＩ信号（アナログ信号である）を受け、デジタル信号に変換して、出力する。
【００６３】
A/D変換器１１Ｑは、直交復調器４からＱ信号（アナログ信号である）を受け、デジタル信号に変換して、出力する。
【００６４】
Ｉ信号ＦＦＴ部１２Ｉは、A/D変換器１１Ｉからデジタル信号になったＩ信号を受ける。さらに、Ｉ信号ＦＦＴ部１２Ｉは、Ｉ信号をＦＦＴして、Ｉ信号のキャリア信号ごとの成分FI1, FI2,…,FINを求めて、Ｉ信号振幅・位相導出部１４Ｉに与える。ただし、FInは（ただし、nは1からNまでの整数）、キャリア信号Cnに対応する、Ｉ信号の成分である。
【００６５】
Ｑ信号ＦＦＴ部１２Ｑは、A/D変換器１１Ｑからデジタル信号になったＱ信号を受ける。さらに、Ｑ信号ＦＦＴ部１２Ｑは、Ｑ信号をＦＦＴして、Ｑ信号のキャリア信号ごとの成分FQ1, FQ2,…,FQNを求めて、Ｑ信号振幅・位相導出部１４Ｑに与える。ただし、FQnは、キャリア信号Cnに対応する、Ｑ信号の成分である。
【００６６】
Ｉ信号振幅・位相導出部１４Ｉは、Ｉ信号の振幅をキャリア信号ごとに導出する（導出結果：AI1,
AI2,…,AIN）。さらに、Ｉ信号振幅・位相導出部１４Ｉは、Ｉ信号の位相をキャリア信号ごとに導出する（導出結果：PI1, PI2,…,PIN）。
【００６７】
ただし、キャリア信号ごとのＩ信号の振幅AInおよびキャリア信号ごとのＩ信号の位相PInは、それぞれ以下の式（１）、式（２）のように表される。
【００６８】
【数１】
0005219537.tif 000002
ただし、Re(FIn)は、FInの実部であり、Im(FIn)は、FInの虚部である。
【００６９】
Ｑ信号振幅・位相導出部１４Ｑは、Ｑ信号の振幅をキャリア信号ごとに導出する（導出結果：AQ1,
AQ2,…,AQN）。さらに、Ｑ信号振幅・位相導出部１４Ｑは、Ｑ信号の位相をキャリア信号ごとに導出する（導出結果：PQ1, PQ2,…,PQN）。
【００７０】
ただし、キャリア信号ごとのＱ信号の振幅AQnおよびキャリア信号ごとのＱ信号の位相PQnは、それぞれ以下の式（３）、式（４）のように表される。
【００７１】
【数２】
0005219537.tif 000003
ただし、Re(FQn)は、FQnの実部であり、Im(FQn)は、FQnの虚部である。
【００７２】
キャリア振幅比導出部１６ａは、Ｉ信号振幅・位相導出部１４Ｉの導出結果AI1,
AI2,…,AINおよびＱ信号振幅・位相導出部１４Ｑの導出結果AQ1, AQ2,…,AQNに基づき、キャリア信号ごとのＩ信号の振幅とＱ信号の振幅との比GB1, GB2,…, GBNを導出する。
【００７３】
ただし、キャリア信号ごとのＩ信号の振幅とＱ信号の振幅との比GB1,
GB2,…, GBNは、以下の式（５）のように表される。
【００７４】
【数３】
0005219537.tif 000004
なお、キャリア振幅比導出部１６ａは、式（５）の演算を行う部分をＮ個有し、各々がGBn（n = 1, 2, … , N）を演算してもよい。また、キャリア振幅比導出部１６ａは、式（５）の演算を行う部分を１個有し、式（５）の演算をＮ回行うようにしてもよい。
【００７５】
キャリア直交誤差導出部１６ｂは、Ｉ信号振幅・位相導出部１４Ｉの導出結果PI1,
PI2,…,PINおよびＱ信号振幅・位相導出部１４Ｑの導出結果PQ1, PQ2,…,PQNに基づき、キャリア信号ごとのＩ信号の位相とＱ信号の位相との差に対応するキャリア位相差対応値を導出する。本実施形態においては、キャリア位相差対応値は、キャリア信号ごとのＩ信号の位相およびＱ信号の位相の差と、その理想値である９０度（＝π／２[rad]）との差E1,
E2,…, ENとする。
【００７６】
ただし、E1, E2,…, ENは、以下の式（６）のように表される。
【００７７】
【数４】
0005219537.tif 000005
なお、キャリア直交誤差導出部１６ｂは、式（６）の演算を行う部分をＮ個有し、各々がEn（n = 1, 2, … , N）を演算してもよい。また、キャリア直交誤差導出部１６ｂは、式（６）の演算を行う部分を１個有し、式（６）の演算をＮ回行うようにしてもよい。
【００７８】
平均部（ゲインインバランス導出部）１８ａは、キャリア振幅比導出部１６ａの導出結果に基づき、ゲインインバランスGBを導出する。平均部１８ａは、キャリア振幅比導出部１６ａの導出結果の平均GB1, GB2,…, GBNを、ゲインインバランスGBとする。ただし、ゲインインバランスGBは以下の式（７）のように表される。
【００７９】
【数５】
0005219537.tif 000006
平均部（位相差対応値導出部）１８ｂは、キャリア位相差対応値導出部１６ｂの導出結果に基づき、位相差対応値（具体的には、直交誤差）を導出する。平均部１８ｂは、キャリア位相差対応値導出部１６ｂの導出結果の平均E1, E2,…, ENを、位相差対応値（直交誤差E）とする。ただし、直交誤差Eは以下の式（８）のように表される。
【００８０】
【数６】
0005219537.tif 000007
次に、本発明の実施形態の動作を説明する。
【００８１】
まず、信号発生器２がRF信号（被復調信号）を出力する。RF信号の周波数スペクトルは図２（ａ）に示すように、全てのキャリア信号の周波数f1, f2,…,fNが、ローカル信号の周波数fcよりも大きい。しかも、任意キャリア信号Cm-1および隣接キャリア信号Cmの間隔fm−fm-1が、fm-1’
< fm”となるように、充分広く設定されている（図４参照）。
【００８２】
RF信号は直交復調器４に与えられる。直交復調器４はRF信号を復調して、Ｉ信号およびＱ信号を出力する。
【００８３】
直交復調器４の乗算器４１Ｉは、ローカル信号（周波数fc）とRF信号とを乗算する。乗算器４１Ｉの出力は、ローパスフィルタ４６Ｉおよびアンプ４８Ｉを通って、Ｉ信号となる。
【００８４】
直交復調器４の乗算器４１Ｑは、移相器４４の出力する直交ローカル信号（ローカル信号と位相が直交している）と、RF信号とを乗算する。乗算器４１Ｑの出力は、ローパスフィルタ４６Ｑおよびアンプ４８Ｑを通って、Ｑ信号となる。
【００８５】
直交復調器４が出力するＩ信号およびＱ信号は、誤差測定装置１０に与えられる。誤差測定装置１０は、ゲインインバランスおよび直交誤差を測定する。
【００８６】
Ｉ信号およびＱ信号は、それぞれ、A/D変換器１１Ｉ、１１Ｑにより、デジタル信号に変換されてから、Ｉ信号ＦＦＴ部１２Ｉ、Ｑ信号ＦＦＴ部１２Ｑに与えられる。
【００８７】
Ｉ信号ＦＦＴ部１２Ｉ（Ｑ信号ＦＦＴ部１２Ｑ）は、Ｉ信号（Ｑ信号）のキャリア信号ごとの成分FI1,
FI2,…,FIN（FQ1, FQ2,…,FQN）を求めて、Ｉ信号振幅・位相導出部１４Ｉ（Ｑ信号振幅・位相導出部１４Ｑ）に与える。
【００８８】
Ｉ信号振幅・位相導出部１４Ｉは、キャリア信号ごとのＩ信号の振幅AIn（式（１）参照）およびキャリア信号ごとのＩ信号の位相PIn（式（２）参照）を求め、それぞれを、キャリア振幅比導出部１６ａ、キャリア直交誤差導出部１６ｂに与える。
【００８９】
Ｑ信号振幅・位相導出部１４Ｑは、キャリア信号ごとのＱ信号の振幅AQn（式（３）参照）およびキャリア信号ごとのＱ信号の位相PQn（式（４）参照）を求め、それぞれを、キャリア振幅比導出部１６ａ、キャリア直交誤差導出部１６ｂに与える。
【００９０】
キャリア振幅比導出部１６ａは、キャリア信号ごとのＩ信号の振幅とＱ信号の振幅との比GB1,
GB2,…, GBNを導出する（式（５）参照）。GB1, GB2,…, GBNは、平均部（ゲインインバランス導出部）１８ａにより平均され（式（７）参照）、ゲインインバランスGBが求められる。
【００９１】
キャリア直交誤差導出部１６ｂは、キャリア信号ごとのＩ信号の位相およびＱ信号の位相の差と、その理想値である９０度（＝π／２[rad]）との差E1,
E2,…, ENと導出する（式（６）参照）。E1, E2,…, ENは、平均部（位相差対応値導出部）１８ｂにより平均され（式（８）参照）、直交誤差Eが求められる。
【００９２】
本発明の実施形態によれば、キャリア信号の周波数がf1からfNまでの値をとるので、周波数がf1からfNまでの範囲の全体的なゲインインバランスGBおよび直交誤差Eを測定することができる。RF信号が単一のキャリア信号（周波数fxとする）を有する場合は、周波数fxに関するゲインインバランスGBおよび直交誤差Eを測定することになる。この場合、周波数により変化するゲインインバランスGBおよび直交誤差Eの全体的な特性を測定したことにならないという問題がある。この問題が、キャリア信号の周波数がf1からfNまでの値をとることにより解決される。
【００９３】
本発明の実施形態によれば、キャリアごとのＩ信号の振幅とＱ信号の振幅との比GB1, GB2,…, GBNおよびキャリアごとのＩ信号の位相およびＱ信号の位相の差と、その理想値である９０度との差E1, E2,…, ENを平均して、ゲインインバランスGBおよび直交誤差Eを導出する。よって、周波数がf1からfNまでの範囲の平均的なゲインインバランスGBおよび直交誤差Eを導出することができる。
【００９４】
しかも、平均をとることにより、測定値のばらつきを低減し、ゲインインバランスGBおよび直交誤差Eの測定精度を向上させることができる。
【００９５】
RF信号が単一のキャリア信号を有する場合に、平均により測定精度を向上させるためには、ゲインインバランスGBおよび直交誤差Eの測定を複数回行い、測定結果を平均することになる。測定を複数回行うため、測定時間が長くなるという問題が生ずる。ここで、本発明の実施形態によれば、キャリア信号が複数あり、キャリア信号に関する測定値GB1, GB2,…, GBN（E1,
E2,…, EN）の平均をとるので、測定を一回行えばよく、測定を複数回行う場合に比べて測定時間を短縮できる。
【００９６】
本発明の実施形態によれば、Ｉ信号ＦＦＴ部１２ＩおよびＱ信号ＦＦＴ部１２Ｑにより、Ｉ信号およびＱ信号をＦＦＴするので、Ｉ信号およびＱ信号から位相雑音を除去することができる。ＦＦＴによる位相雑音の除去は、時間領域のフィルタ処理（畳み込み演算）よりも高速に行うことができる。
【００９７】
本発明の実施形態によれば、全てのキャリア信号の周波数がfcよりも大きい（または小さい）ので、Ｉ信号およびＱ信号をＦＦＴした結果、異なるキャリア信号の成分が重なることを防止できる。
【００９８】
本発明の実施形態によれば、任意キャリア信号Cm-1および隣接キャリア信号Cmの間隔fm−fm-1は、第一位相雑音PNm-1が、第二位相雑音PNmよりも、隣接成分C’mの近傍fm”からfm’までにおいて小さくなるように設定されている。よって、ゲインインバランスGBおよび直交誤差Eの測定にあたって、位相雑音の影響を低減することができる。
【００９９】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、Ｉ信号ＦＦＴ部１２Ｉ、Ｑ信号ＦＦＴ部１２Ｑ、Ｉ信号振幅・位相導出部１４Ｉ、Ｑ信号振幅・位相導出部１４Ｑ、キャリア振幅比導出部１６ａ、キャリア直交誤差導出部１６ｂ、平均部（ゲインインバランス導出部）１８ａ、平均部（位相差対応値導出部）１８ｂ）を実現するプログラムを記録したメディアを読み取らせて、ハードディスクにインストールする。このような方法でも、上記の機能を実現できる。
【図面の簡単な説明】
【０１００】
【図１】本発明の実施形態にかかる誤差測定システム１の構成を示す機能ブロック図である。
【図２】RF信号が有する各々のキャリア信号の周波数スペクトルを示す図である。
【図３】直交復調器４の構成を示す機能ブロック図である。
【図４】任意の一つのキャリア信号（任意キャリア信号）Cm-1と、任意キャリア信号Cm-1に隣接する隣接キャリア信号Cmとの周波数スペクトル（図４（ａ））、任意キャリア信号Cm-1に対応する（Ｉ信号およびＱ信号の）任意成分C’m-1と、その近傍に発生する第一位相雑音PNm-1と、隣接キャリア信号Cmに対応する（Ｉ信号およびＱ信号の）隣接成分C’mと、その近傍に発生する第二位相雑音PNmとの周波数スペクトル（図４（ｂ））を示す図である。
【図５】誤差測定装置１０の構成を示す機能ブロック図である。
【符号の説明】
【０１０１】
１  誤差測定システム
２  信号発生器
４  直交復調器
４１Ｉ、４１Ｑ  乗算器
４２  ローカル信号源
４４  移相器
４６Ｉ、４６Ｑ  ローパスフィルタ
４８Ｉ、４８Ｑ  アンプ
１０  誤差測定装置
１１Ｉ、１１Ｑ  A/D変換器
１２Ｉ  Ｉ信号ＦＦＴ部
１２Ｑ  Ｑ信号ＦＦＴ部
１４Ｉ  Ｉ信号振幅・位相導出部
１４Ｑ  Ｑ信号振幅・位相導出部
１６ａ  キャリア振幅比導出部
１６ｂ  キャリア直交誤差導出部
１８ａ  平均部（ゲインインバランス導出部）
１８ｂ  平均部（位相差対応値導出部）
C1, C2,…,CN  キャリア信号
fc  ローカル信号の周波数
f1, f2,…,fN  キャリア信号C1, C2,…,CNの周波数
Cm-1  任意キャリア信号
C’m-1  任意成分
Cm  隣接キャリア信号
C’m  隣接成分
FI1, FI2,…,FIN  Ｉ信号のキャリア信号ごとの成分
FQ1, FQ2,…,FQN  Ｑ信号のキャリア信号ごとの成分
AI1, AI2,…,AIN  キャリア信号ごとのＩ信号の振幅
PI1, PI2,…,PIN  キャリア信号ごとのＩ信号の位相
AQ1, AQ2,…,AQN  キャリア信号ごとのＱ信号の振幅
PQ1, PQ2,…,PQN  キャリア信号ごとのＱ信号の位相
GB1, GB2,…, GBN  キャリア信号ごとのＩ信号の振幅とＱ信号の振幅との比
E1, E2,…, EN  キャリア位相差対応値
GB  ゲインインバランス
E  直交誤差
PNm-1  第一位相雑音
PNm  第二位相雑音
【図１】
0005219537.tif 000008
【図２】
0005219537.tif 000009
【図３】
0005219537.tif 000010
【図４】
0005219537.tif 000011
【図５】
0005219537.tif 000012